(57)【特許請求の範囲】
【請求項１】
溝部を備えるとともに前記溝部を形成する縁部を備えるダクトレールに取り付けられるダクトレール用照明器具の器具本体であって、長手方向に延びた形状の取付面であって前記ダクトレールに沿って取り付けられる取付面と、前記取付面から突き出すように設けられ、前記ダクトレールに固定されるダクトプラグとを備える器具本体において、
絶縁材により形成され、両端面を有する柱状の補助部材であって、両端面のうちの一端面が前記取付面に対向するように前記取付面に取り付けられているとともに、前記一端面の反対側の他端面の近傍の外周面に、前記溝部に挿入されるとともに前記溝部の前記縁部に係合する係合部を備えた補助部材と、
弾性体により形成された緩衝部材であって前記一端面と前記取付面との間に設けられた緩衝部材と
を備えたことを特徴とする器具本体。
【請求項２】
前記補助部材は、前記他端面から前記一端面まで貫通した補助部材貫通孔が形成され、
前記緩衝部材は、前記一端面側から前記取付面側まで貫通した緩衝部材貫通孔が形成され、
前記器具本体は、前記取付面の裏面を有するとともに、前記取付面から前記裏面まで貫通した本体貫通孔が形成され、
前記器具本体は、さらに、
ネジ頭とネジ棒とを備えたネジであって、前記補助部材貫通孔に前記他端面側から挿入され、前記補助部材貫通孔の前記他端面側の周縁部に前記ネジ頭が係止されているとともに、前記補助部材貫通孔と前記緩衝部材貫通孔と前記本体貫通孔とを貫通し、前記裏面に露出した前記ネジ棒がナットによりネジ止めされたネジを備えたことを特徴とする請求項１に記載の器具本体。
【請求項３】
前記補助部材は、前記ネジ頭の周囲を囲む壁部を前記他端面に備えることを特徴とする請求項２に記載の器具本体。
【請求項４】
請求項１〜３のいずれかに記載の器具本体と、光源を備える灯具であって前記器具本体に取り付けられる灯具と、前記光源を点灯する点灯装置とを備えることを特徴とするダクトレール用照明器具。
【発明の詳細な説明】
【技術分野】
【０００１】
本発明は、例えば、配線ダクトに取り付けられるダクトレール用照明器具及びダクトレール用照明器具の器具本体に関する。
【背景技術】
【０００２】
従来の配線ダクト取付用照明器具は、電気的及び機械的接続をするプラグ部分と、機械的接続をする補助固定具とを有している。機械的接続をする補助固定具は、配線ダクトの通電部が近傍にあるため、感電等の安全性を考慮すると樹脂製のものが望ましい。しかし、樹脂製のものは、強度が弱いため、地震などの振動による繰り返し応力により破損する恐れがある。
【先行技術文献】
【特許文献】
【０００３】
【特許文献１】特開２００３−３１７５３０号公報
【発明の概要】
【発明が解決しようとする課題】
【０００４】
特許文献１の配線ダクト取付用照明器具では、配線ダクトとの機械的接続をする補助固定具は樹脂製であり感電の恐れはない。しかし、補助固定具に地震等による振動などで繰り返し応力がかかると、樹脂製であるため破損する等が考えられ、照明器具が落下する恐れがあるという課題がある。
【０００５】
本発明は、配線ダクトとの機械的接続をする補助固定具に繰り返し応力がかかりにくい構造を有した照明器具及び照明器具の器具本体を提供する。
【課題を解決するための手段】
【０００６】
本発明に係る器具本体は、溝部を備えるとともに前記溝部を形成する縁部を備えるダクトレールに取り付けられるダクトレール用照明器具の器具本体であって、長手方向に延びた形状の取付面であって前記ダクトレールに沿って取り付けられる取付面と、前記取付面から突き出すように設けられ、前記ダクトレールに固定されるダクトプラグとを備える器具本体において、絶縁材により形成され、両端面を有する柱状の補助部材であって、両端面のうちの一端面が前記取付面に対向するように前記取付面に取り付けられているとともに、前記一端面の反対側の他端面の近傍の外周面に、前記溝部に挿入されるとともに前記溝部の前記縁部に係合する係合部を備えた補助部材と、弾性体により形成された緩衝部材であって前記一端面と前記取付面との間に設けられた緩衝部材とを備えたことを特徴とする。
【発明の効果】
【０００７】
本発明に係る器具本体は、溝部を備えるとともに前記溝部を形成する縁部を備えるダクトレールに取り付けられるダクトレール用照明器具の器具本体であって、長手方向に延びた形状の取付面であって前記ダクトレールに沿って取り付けられる取付面と、前記取付面から突き出すように設けられ、前記ダクトレールに固定されるダクトプラグとを備える器具本体において、絶縁材により形成され、両端面を有する柱状の補助部材であって、両端面のうちの一端面が前記取付面に対向するように前記取付面に取り付けられているとともに、前記一端面の反対側の他端面の近傍の外周面に、前記溝部に挿入されるとともに前記溝部の前記縁部に係合する係合部を備えた補助部材と、弾性体により形成された緩衝部材であって前記一端面と前記取付面との間に設けられた緩衝部材とを備えているので、補助部材に繰り返し応力がかかった場合でも、弾性体により応力を吸収することができるので、器具本体の振動により補助部材にかかる応力を緩衝部材により吸収することができ、振動に強いダクトレール用の照明器具の器具本体を提供することができる。
【図面の簡単な説明】
【０００８】
【図１】実施の形態１に係る照明器具１００がダクトレールに取り付けられている状態の斜視図である。
【図２】実施の形態１に係る照明器具１００の３面図であり、（ａ）は平面図、（ｂ）は側面図、（ｃ）は正面図である。
【図３】実施の形態１に係る補助部材１７０、緩衝部材１８０、及びネジ１９０の分解斜視図である。
【図４】実施の形態１に係る器具本体１３０の断面図であり、図２（ｂ）のＡ−Ａ断面図である。
【図５】実施の形態１に係る照明器具１００が揺れている状態の図である。
【図６】実施の形態２に係る器具本体１３０の断面図であり、図２（ｂ）のＡ−Ａ断面図である。
【発明を実施するための形態】
【０００９】
実施の形態１．
図１は、本実施の形態に係る照明器具１００が配線ダクト２００に取り付けられている状態の斜視図である。図２は、本実施の形態に係る照明器具１００の３面図であり、（ａ）は平面図、（ｂ）は側面図、（ｃ）は正面図である。図１及び図２を用いて、本実施の形態に係る照明器具１００の全体構成について説明する。
【００１０】
本実施の形態に係る照明器具１００は、天井面や壁面等に取り付けられる配線ダクト２００のダクトレール２１０に取り付けて使用されるダクトレール用の照明器具である。照明器具１００は、ダクトレール２１０に取付けて使用される専用器具であり、例えば、スポットライト等である。ダクトレール２１０は、配線ダクト２００に沿って形成された溝部と、溝部を形成する縁部とを備える。ダクトレール２１０の構造については後述する。
【００１１】
照明器具１００は、灯体１２０、器具本体１３０、アーム部１４０、ダクトプラグ１６０、補助部材１７０、緩衝部材１８０（図２（ｂ）参照）を備える。
【００１２】
器具本体１３０は、長手方向に延びた形状（長方形形状）であり、長手方向がダクトレール２１０（配線ダクト２００）に沿うように、ダクトレール２１０に取り付けられる取付面１３１を備える。器具本体１３０は、取付面１３１を１面とする略直方体形状であり、後述する光源部１２１を点灯させる点灯装置１１０等を内部に収納する（図２（ｂ）参照）。
【００１３】
ダクトプラグ１６０は、器具本体１３０の取付面１３１の端部近傍から、ダクトレール２１０側に突き出すように設けられる。以下、説明を容易にするため、図２（ｂ）に示すように、器具本体１３０の取付面１３１側（ダクトレール２１０側（図１参照））を上方とし、器具本体１３０の灯体１２０側を下方とする。上下方向との記載は、説明の便宜上使用するものであり、配線ダクト２００が壁面等に取り付けられる場合等は、実際には上下方向とはならないことはいうまでもない。
【００１４】
ダクトプラグ１６０は、導体であるプラグ側接触片１６２を備える。ダクトプラグ１６０のプラグ側接触片１６２をダクトレール２１０の溝部に挿入し、ダクトプラグレバー１６１によりプラグ側接触片１６２を回転することにより、プラグ側接触片１６２は溝部の縁部に係止されるとともに溝部に設けられたダクト側接触片と接触する構造になっている。
【００１５】
照明器具１００は、ダクトプラグ１６０がダクトレール２１０に取り付けられると、ダクトレール２１０に設けられたダクト側接触片に接続された電源から、プラグ側接触片１６２を介して給電され、光源部１２１が点灯する構造である。このように、ダクトプラグ１６０は、ダクトレール２１０と機械的に接続するとともに電気的に接続する。
【００１６】
補助部材１７０は、取付面１３１の長手方向の略中央部に設けられる。補助部材１７０は、取付面１３１から突き出すように配置された略柱状の部材である。補助部材１７０は、絶縁材により形成されている。また、補助部材１７０と取付面１３１との間には、緩衝部材１８０が配置される（図２（ｂ）参照）。補助部材１７０、緩衝部材１８０の詳細構成については後述する。
【００１７】
補助部材１７０は、つば部１７２を備える。補助部材１７０のつば部１７２をダクトレール２１０の溝部に挿入し、補助部材レバー１７１によりつば部１７２を回転させ、つば部１７２を溝部の縁部に係止させる構造になっている。補助部材１７０は、絶縁材により形成されているので、ダクトレール２１０と機械的に接続するのみであり、電気的に接続することはない。
【００１８】
灯体１２０は、光源部１２１を備える。光源部１２１は、例えば、ＬＥＤ（発光ダイオード）モジュール、ＬＥＤ基板である。灯体１２０は、器具本体１３０において、ダクトプラグ１６０が配置されている側の端部の下方に取り付けられる。器具本体１３０のダクトプラグ１６０側の端部の下方にはアーム部１４０が取り付けられる。アーム部１４０は、器具本体１３０の取付面１３１に対向する面から下方（図２（ｂ）参照）に延びており、下端部に灯体１２０を取り付ける。
【００１９】
照明器具１００を配線ダクト２００に取付ける際に、ダクトプラグ１６０だけで取付けた場合、照明器具１００の重量により器具が支えきれない場合がある。特に、灯体１２０は、放熱部材を兼ねており重量が重いため、ダクトプラグ１６０だけでは支えきれない場合がある。
【００２０】
このため、ダクトプラグ１６０と同時に、補助部材１７０をダクトレール２１０（配線ダクト２００）に回転させて取付けることにより、照明器具１００を緩みなくダクトレール２１０（配線ダクト２００）に固定することができ、照明器具１００の姿勢を保持することができる。
【００２１】
補助部材１７０の位置は、図２（ａ）に示すように、取付面１３１の長手方向の略中央部に配置するのが好ましい。取付面１３１の長手方向の長さをＬとすると、略中央部であるＰ０点近傍が好ましい。あるいは、長手方向の長さＬを略４等分し、Ｐ０点よりもＬ／４だけ反ダクトプラグ側に寄ったＰ３点近傍でもよい。あるいは、取付面１３１の長手方向の反ダクトプラグ側の端部近傍（Ｐ２点）でもよい。灯体１２０の重量によっては、Ｐ０点よりもＬ／４だけダクトプラグ側に寄ったＰ４点近傍でもよい。
【００２２】
本実施の形態では、器具本体１３０は取付面１３１が長方形の直方体としているが、取付面１３１は、多角形、円形、楕円形、その他の形状でもよい。本実施の形態は、ダクトプラグ１６０のダクトレール２１０への機械的接続を補助する補助部材１７０が配置可能な形状であれば、どのような形状の器具本体１３０、照明器具１００であっても適応可能である。
【００２３】
図３は、本実施の形態に係る補助部材１７０、緩衝部材１８０、及びネジ１９０の分解斜視図である。図４は、本実施の形態に係る器具本体１３０の断面図であり、図２（ｂ）のＡ−Ａ断面図である。図３及び図４を用いて、ダクトレール２１０、器具本体１３０、補助部材１７０、緩衝部材１８０、及びネジ１９０の詳細構造について説明する。
【００２４】
図３に示すように、補助部材１７０は、上端面１７５と下端面１７６とを備える筒状であり、中央に補助部材貫通孔１７３を有する。補助部材１７０の上端面１７５近傍の外周面には、ダクトレール２１０の溝部に嵌るつば部１７２が形成される。補助部材１７０は、絶縁材により形成される。なお、この図３では、補助部材レバー１７１を省略している。
【００２５】
補助部材貫通孔１７３には、上方からネジ１９０が挿入される。ネジ１９０のネジ頭１９１は、補助部材１７０の上端面１７５に係止される。ネジ棒１９２は補助部材貫通孔１７３を貫通して下端面１７６から露出する。補助部材１７０は、ネジ頭１９１の周囲に、ネジ頭１９１を囲う環状の補助部材壁部１７４を備える。
【００２６】
緩衝部材１８０は、弾性体により形成されたリング状の部材である。緩衝部材１８０は、例えば、ゴム材やスポンジ材等である。緩衝部材１８０は、補助部材貫通孔１７３に連通する緩衝部材貫通孔１８１を有する。ネジ１９０のネジ棒１９２は、補助部材貫通孔１７３を貫通するとともに緩衝部材貫通孔１８１を貫通する。
【００２７】
緩衝部材１８０は、補助部材１７０の下端面１７６と当接する緩衝部材上端面１８２と、後述するように取付面１３１（図４参照）と当接する緩衝部材下端面１８３とを備える。
【００２８】
図３では、緩衝部材１８０は、リング状、環状、筒状をしているが、この形状に限られない。また、図３では、補助部材１７０と緩衝部材１８０とは径が略等しく、補助部材１７０と緩衝部材１８０とが取付面１３１に取り付けられた場合には連続する筒形状となるように形成される。これにより、補助部材１７０と緩衝部材１８０とが外観上一部品となり、意匠性が向上する。
【００２９】
次に、図４を用いて、補助部材１７０と緩衝部材１８０との取付構造について説明する。図４に示すように、配線ダクト２００は、天井面３００に取り付けられている。
【００３０】
また、図４に示すように、器具本体１３０には、取付面１３１から取付面１３１の裏面１３２まで貫通した本体貫通孔１３３が形成されている。本体貫通孔１３３の内面にはネジ切り１３３ａが形成されている。
【００３１】
補助部材貫通孔１７３と、緩衝部材貫通孔１８１とを貫通したネジ棒１９２は、本体貫通孔１３３のネジ切り１３３ａと螺合する。取付面１３１の裏面１３２まで露出したネジ棒１９２は、ナット１９４により固定される。
【００３２】
ネジ頭１９１は、補助部材１７０の上端面１７５に係止されるが、ネジ頭１９１と上端面１７５との間には、ワッシャ１９３ａが配置される。また、ナット１９４と取付面１３１の裏面１３２との間には、ワッシャ１９３ｂが配置される。
【００３３】
以上のように、補助部材１７０（補助固定具）は、緩衝部材１８０（クッション）と共に、ネジ１９０とワッシャ１９３ａ，１９３ｂとナット１９４にて器具本体１３０に固定されている。器具本体１３０の取付面１３１の本体貫通孔１３３の内面には、ネジ切り１３３ａが形成されており、取付面１３１の裏面１３２から露出したネジ棒１９２にナット１９４を取付けることにより、ネジ１９０の緩み止めとなり、補助部材１７０（補助固定具）が器具本体１３０（取付面１３１）に確実に固定される。
【００３４】
ネジ１９０のネジ棒１９２の径Ｌ１は、補助部材貫通孔１７３の径Ｌ２よりも小さく、かつ、緩衝部材貫通孔１８１の径Ｌ３よりも小さくなるように形成される。
【００３５】
緩衝部材１８０（クッション）は、ゴムやスポンジなど、弾性を持った素材からできており、照明器具１００の重量などにより、材質の硬度を変えることが望ましい。硬度の範囲は２０〜１００（ＪＩＳ−Ａ）とする。
【００３６】
ダクトレール２１０は、ダクトプラグ１６０（図１及び図２参照）のプラグ側接触片１６２（図２参照）と接触してダクトプラグ１６０に給電するダクト側接触片２１１ａを具備する給電溝２１１（溝部の一例）を備える。また、ダクトレール２１０は、補助部材１７０との機械的接続のための係止溝２１２（溝部の一例）を備える。係止溝２１２の開口を形成する縁部２１３は、ダクトレール２１０の開口を形成している。
【００３７】
補助部材１７０をダクトレール２１０に取り付ける際は、まず、つば部１７２の長手方向をダクトレール２１０の長手方向に沿わせて、ダクトレール２１０の開口に挿入する。そして、補助部材レバー１７１を回転することにより補助部材１７０を回転させ、つば部１７２の長手方向がダクトレール２１０の長手方向に直交する位置に係止する。これにより、つば部１７２が係止溝２１２の縁部２１３に係止され、補助部材１７０がダクトレール２１０に固定される。
【００３８】
ネジ１９０のネジ棒１９２の径Ｌ１は、補助部材貫通孔１７３の径Ｌ２よりも小さく、かつ、緩衝部材貫通孔１８１の径Ｌ３よりも小さいので、補助部材１７０は、ネジ棒１９２の周囲を回転可能となる。
【００３９】
また、ネジ頭１９１は、給電溝２１１に配置されている金属のダクト側接触片２１１ａの近傍に配置されることになるが、ネジ頭１９１は絶縁材である補助部材壁部１７４に周囲を囲まれているので、ネジ頭１９１とダクト側接触片２１１ａとが接触してしまう恐れがない。
【００４０】
図５は、本実施の形態に係る照明器具１００が揺れている状態の図である。図５を用いて、本実施の形態に係る照明器具１００の効果について説明する。
【００４１】
図５に示すように、器具本体１３０がＱ１−Ｑ２方向に揺れているとする。上述したように、ネジ１９０のネジ棒１９２の径Ｌ１は、補助部材貫通孔１７３の径Ｌ２よりも小さく、かつ、緩衝部材貫通孔１８１の径Ｌ３よりも小さい。したがって、ネジ棒１９２は、補助部材貫通孔１７３及び緩衝部材貫通孔１８１の内部で傾斜することが可能となる。ネジ棒１９２が傾斜すると、ネジ１９０と固定されている器具本体１３０も傾斜する。
【００４２】
例えば、器具本体１３０が中心Ｑ０点よりＱ１側に位置する場合には、緩衝部材１８０のＱ１側の部分ｑ１が収縮し、器具本体１３０が補助部材１７０に与える応力を吸収する。また、同様に、器具本体１３０が中心Ｑ０点よりＱ２側に位置する場合には、緩衝部材１８０のＱ２側の部分ｑ２が収縮し、器具本体１３０が補助部材１７０に与える応力を吸収する。
【００４３】
このように、緩衝部材１８０が収縮することにより、器具本体１３０の傾斜による補助部材１７０に係る応力を吸収することができる。つまり、ネジ１９０及び器具本体１３０が揺れにより傾斜した場合であっても、補助部材１７０には応力がかかりにくく、補助部材自体が傾斜しにくい。
【００４４】
もし、補助部材１７０がネジ１９０及び器具本体１３０とともに傾斜してしまうと、つば部１７２が係止溝２１２、縁部２１３と衝突し、つば部１７２に負荷がかかり、つば部１７２近傍が破損し、器具が落下する恐れがある。しかし、本実施の形態にかかる照明器具１００によれば、つば部１７２に負荷がかかりにくいので、つば部１７２近傍の破損を防止し、器具の落下を防ぐことができる。
【００４５】
図３では、緩衝部材１８０は、リング状、環状、筒状をしているが、この形状に限られない。また、図３では、補助部材１７０と緩衝部材１８０とは、径が略等しく、取付面１３１に取り付けられた場合には連続する筒形状となるように形成されているが、例えば、緩衝部材１８０の径を、補助部材１７０の径よりも大きくしてもよい。
【００４６】
以上のように、本実施の形態にかかる照明器具１００は、配線ダクト２００に取付けられる構造を有し、点灯装置１１０を収納している器具本体１３０と、この器具本体１３０に取付けられている灯体１２０とからなる照明器具１００において、上記器具本体１３０が配線ダクト２００に電気的及び機械的接続をする配線ダクト用のダクトプラグ１６０を有するとともに、同配線ダクト２００にダクトプラグ１６０とは別に機械的接続をする補助固定具（補助部材１７０）を有している。
【００４７】
本実施の形態にかかる照明器具１００によれば、補助固定具（補助部材１７０）は樹脂成形品であるが、樹脂の破損等による落下を防ぐために、器具本体１３０との接続部にゴムなどの緩衝部材１８０を設けており、地震などによる器具本体１３０の揺れを防ぎ、補助固定具（補助部材１７０）にかかる負荷を緩和させることができる。
【００４８】
実施の形態２．
図６は、本実施の形態に係る器具本体１３０の断面図であり、図２（ｂ）のＡ−Ａ断面図である。図６は、図４に対応する図であり、図４において説明した構成部と同様の機能を有する構成部には同一の符号を付し、その説明を省略する。
【００４９】
図６において、図４と異なる点は、緩衝部材がバネ部材１８５である点である。緩衝部材をクッション材（ゴム、スポンジ等）からバネ部材１８５に置き換えても、同じ効果が得られる。バネ部材１８５は巻きバネであり、材質はバネ鋼である。照明器具１００の重量などによりバネ力を変えることが望ましい。
【符号の説明】
【００５０】
１００  照明器具、１１０  点灯装置、１２０  灯体、１２１  光源部、１３０  器具本体、１３１  取付面、１３２  裏面、１３３  本体貫通孔、１３３ａ  ネジ切り、１４０  アーム部、１６０  ダクトプラグ、１６１  ダクトプラグレバー、１６２  プラグ側接触片、１７０  補助部材、１７１  補助部材レバー、１７２  つば部、１７３  補助部材貫通孔、１７４  補助部材壁部、１７５  上端面、１７６  下端面、１８０  緩衝部材、１８１  緩衝部材貫通孔、１８２  緩衝部材上端面、１８３  緩衝部材下端面、１８５  バネ部材、１９０  ネジ、１９１  ネジ頭、１９２  ネジ棒、１９３ａ，１９３ｂ  ワッシャ、１９４  ナット、２００  配線ダクト、２１０  ダクトレール、２１１  給電溝、２１１ａ  ダクト側接触片、２１２  係止溝、２１３  縁部、３００  天井面。
【図１】
0005871697.tif 000002
【図２】
0005871697.tif 000003
【図３】
0005871697.tif 000004
【図４】
0005871697.tif 000005
【図５】
0005871697.tif 000006
【図６】
0005871697.tif 000007